(57)【要約】【課題】  音響を保ちつつ、腰部パネルの限られた内側空間内に極力大きなスピーカを設置できるスロットマシンの提供を目的としている。【解決手段】  本発明のスロットマシンの腰部パネル２１の内側には、腰部パネル２１の内側空間Ｓを規定するとともにスピーカ３０Ａ，３０Ｂを取り付ける取付ベース４２が設けられ、取付ベース４２には、腰部パネル２１の内側空間Ｓと箱体の内側空間とを連通させる少なくとも１つの連通孔４０が形成されている。【選択図】図３
2005034610.tif 000002
【特許請求の範囲】
【請求項１】
遊技を実行するための各種装置が収容される箱体と、この箱体に開閉自在に装着される前面扉とを備え、前記前面扉は、前記箱体から払い出される遊技媒体を受けるためのトレイと、遊技操作スイッチが設けられた制御パネルと、前記トレイと前記制御パネルとの間に設けられた装飾用の腰部パネルと、前記腰部パネルの内側に設けられ且つ前記腰部パネルに形成された放音孔を通じて音を発するスピーカとを有して成るスロットマシンにおいて、
前記腰部パネルの内側には、腰部パネルの内側空間を規定するとともに前記スピーカを取り付ける取付ベースが設けられ、
前記取付ベースには、腰部パネルの内側空間と前記箱体の内側空間とを連通させる少なくとも１つの連通孔が形成されていることを特徴とするスロットマシン。
【請求項２】
前記取付ベースには、前記スピーカを少なくとも部分的に収納するための凹陥状の収納孔を形成する収納部が設けられ、当該収納部に前記連通孔が形成されていることを特徴とする請求項１に記載のスロットマシン。
【請求項３】
前記収納部は、前記スピーカの外周を取り囲む周面と、前記スピーカの背面と対向する底面とを有し、前記周面および前記底面の少なくとも一方に前記連通孔が形成されていることを特徴とする請求項２に記載のスロットマシン。
【発明の詳細な説明】
【技術分野】
【０００１】
本発明は、スロットマシンに係わり、特に、開閉自在な前面扉に対するスピーカの取付形態に特徴を有するスロットマシンに関する。
【背景技術】
【０００２】
一般に、スロットマシンは、遊技を実行するための各種装置、例えば、複数種類の図柄を可変表示するための複数のリールと、これらのリールを駆動・制御するための駆動制御装置と、遊技処理動作を制御するための制御装置と、賞としての遊技媒体（以下、遊技メダルという。）を払い出すためのホッパ（メダル払出装置）と、電源装置とが、マシン本体としての箱体内に収容されて成る。
【０００３】
また、前記箱体には、前記リールに描かれた図柄が視認できる前面扉が開閉自在に装着されている。前面扉には、各リールの回転を一斉に開始させるためのスタートスイッチと、各リールの回転を個別に停止させるための複数のストップスイッチと、遊技メダルを投入するためのメダル投入口と、前記箱体のホッパから払い出される遊技メダルを受けるためのトレイとが設けられている。
【０００４】
そして、このような構成のスロットマシンでは、回転するリールをストップスイッチによって完全に停止させた時の各リールの表示態様に応じて、所定数の遊技メダルがホッパにより払い出されてトレイ内に受けられる。
【０００５】
ところで、このようなスロットマシンにおいては、その遊技状態に応じて、スピーカから様々な効果音が発せられる。このようなスピーカは、一般に箱体内に設置されており、遊技者に直接効果音を放出するべく、前面扉の前面に形成された放音孔を通じて音を発せられるようになっている。この場合、前記放音孔は、通常、遊技メダルが払い出される前記トレイに対向している。また、このようなスピーカからの音量不足を補助するため、スロットマシンの後方に向けて効果音を発するリヤスピーカが前記箱体の背面側に設けられている場合もある（例えば特許文献１参照）。
【特許文献１】特開平９−２２０３１３号公報
【発明の開示】
【発明が解決しようとする課題】
【０００６】
ところで、前述したように、スロットマシンの前方に向けて効果音を発するスピーカ（フロントスピーカ）の放音孔が前記トレイに対向していると、トレイに溜まった遊技メダルによって放音孔が塞がれ、スピーカからの効果音が聞こえ難くなるという問題がある。一方、スロットマシンの後方に向けて効果音を発するリヤスピーカは、遊技者に向かって直接に音を発するものではないため、前記フロントスピーカに比べて音響効果が低下する。したがって、遊技メダルによる遮音を防ぎ、なおかつ、音響効果を高めるべく遊技者に向けて直接に効果音を発するため、前面扉の所定の部位、一般的にはスペース的に余裕がある前記トレイの上側の腰部パネル（装飾パネル）の内側にスピーカを設置することも考えられる。
【０００７】
しかしながら、スピーカボックスとしての機能を果す前記腰部パネルの内側の空間は、その容積が限られているため、音響効果を高めるべく大口径のスピーカを腰部パネルの内側に設置しようとすると、空気振動（音響）が生じる十分な空間を腰部パネルの内側に確保できず、最悪の場合、スピーカの音が発生しなくなるといった事態も生じ得る。
【０００８】
本発明は、前記事情に着目してなされたものであり、その目的とするところは、音響を保ちつつ、腰部パネルの限られた内側空間内に極力大きなスピーカを設置できるスロットマシンを提供することにある。
【課題を解決するための手段】
【０００９】
上記課題を解決するために、請求項１に記載された発明は、遊技を実行するための各種装置が収容される箱体と、この箱体に開閉自在に装着される前面扉とを備え、前記前面扉は、前記箱体から払い出される遊技媒体を受けるためのトレイと、遊技操作スイッチが設けられた制御パネルと、前記トレイと前記制御パネルとの間に設けられた装飾用の腰部パネルと、前記腰部パネルの内側に設けられ且つ前記腰部パネルに形成された放音孔を通じて音を発するスピーカとを有して成るスロットマシンにおいて、前記腰部パネルの内側には、腰部パネルの内側空間を規定するとともに前記スピーカを取り付ける取付ベースが設けられ、前記取付ベースには、腰部パネルの内側空間と前記箱体の内側空間とを連通させる少なくとも１つの連通孔が形成されていることを特徴とする。
【００１０】
この請求項１に記載された発明によれば、取付ベースに形成された連通孔によって腰部パネルの内側空間が前記連通孔の内容積分だけ拡大されるとともに、前記連通孔を通じて腰部パネルの内側空間と箱体の内側空間とが連通する（腰部パネルの内側空間が部分的に開放される）。そのため、音響効果を高めるべく大口径のスピーカを腰部パネルの内側に設置することにより腰部パネルの内側空間の空きスペース（音響伝達空間）が少なくなっても、この容積不足を前記連通孔の内容積によって補助できるとともに、音響を保つために必要な空気を前記連通孔を通じて腰部パネルの内外（腰部パネルの内側空間と箱体の内側空間との間）で流通させて十分な空気振動（音響）を生じさせることができる。したがって、スピーカの音が発生しなくなるといった事態が生じることを回避することができる。すなわち、取付ベースに形成された連通孔の存在により、音響を保ちつつ、限られた腰部パネルの内側空間内に（腰部パネルの内側空間の内容積の範囲内で）極力大きなスピーカを設置できるようになる。
【００１１】
また、請求項１に記載された発明では、スピーカが腰部パネル（腰部パネルの内側）に設置されているため、スピーカからの音がトレイやトレイ内の遊技媒体によって遮られることがなく、前面扉から迫力ある効果音を遊技者に向かって直接に出力することができる。
【００１２】
また、請求項２に記載された発明は、請求項１に記載された発明において、前記取付ベースには、前記スピーカを少なくとも部分的に収納するための凹陥状の収納孔を形成する収納部が設けられ、当該収納部に前記連通孔が形成されていることを特徴とする。
【００１３】
この請求項２に記載された発明によれば、請求項１と同様の作用効果が得られるとともに、スピーカを収納するための収納孔を形成する収納部が取付ベースに設けられ、この収納部内にも連通孔が形成されているため、腰部パネルの内側空間の容積不足を前記取付ベースの連通孔および前記収納孔内部および周囲に設けられた連通孔によって補助しつつ、スピーカから発せられる音（空気振動）をスピーカ背面から直線的に連通孔を通じて開放することができ、空気の流通状態を更に促進させて、腰部パネル内での音響効果を更に高めることができる。
【００１４】
なお、上記構成のように、スピーカが収納される前記収納部に連通孔を設ける場合、連通孔の孔径は、例えば遊技媒体やスロットマシン内部に存在するビス等の取付要素が収納部内に侵入し得ないよう、これら遊技媒体や取付要素の外径よりも小さく設定されることが望ましい。これは、脱落等により収納部に誤って落下してくる金属製のビスや遊技媒体等が、前記連通孔を通じて収納部内に侵入し、スピーカに付設されるマグネットに吸着されるなどして、スピーカからの音響作用に支障を来たす虞をなくすためである。
【００１５】
また、請求項３に記載された発明は、請求項２に記載された発明において、前記収納部は、前記スピーカの外周を取り囲む周面と、前記スピーカの背面と対向する底面とを有し、前記周面および前記底面の少なくとも一方に前記連通孔が形成されていることを特徴とする。
【００１６】
この請求項３に記載された発明によれば、請求項２と同様の作用効果が得られるとともに、スピーカに対して様々な方向から対向する複数の連通孔により、容積不足を補助して音響を保つために必要な空気を腰部パネルの内外で流通させて十分な空気振動（音響）を生じさせることができるため、腰部パネル内での音響効果を一層高めることができる。
【発明の効果】
【００１７】
本発明のスロットマシンによれば、音響を保ちつつ、腰部パネルの限られた内側空間内に極力大きなスピーカを設置できる。
【発明を実施するための最良の形態】
【００１８】
以下、図面を参照しながら本発明の一実施形態について説明する。
【００１９】
図１には、本発明の第１の実施形態に係るスロットマシン１が概略的に示されている。図示のように、スロットマシン１は、マシン本体としての箱体１ａの前面にフロントパネル（前面扉）２が開閉可能に取り付けられて成る。箱体１ａ内には、遊技を実行するための各種装置、例えば、複数種類の図柄を可変表示するための複数のリールと、これらのリールを駆動・制御するための駆動制御装置と、遊技処理動作を制御するための制御装置と、賞としての遊技メダル（遊技媒体）を払い出すためのホッパ（メダル払出装置）と、電源装置とが収容されている。
【００２０】
図２には、フロントパネル２の詳細が示されている。図示のように、フロントパネル２は、矩形枠状のパネル本体２０を有している。パネル本体２０の上部には、前記リールに描かれた図柄を表示するとともに各種の画像演出を行なう液晶装置１９が設けられている。
【００２１】
また、パネル本体２０の下部には、スロットマシン１の箱体１ａから払い出されるメダルを受けるためのトレイ５が取り付けられている。また、パネル本体２０の中央部には、制御パネル（操作パネル）２２が取り付けられている。この制御パネル２２には、各種の遊技操作スイッチ、例えば、前記リールの回転を一斉に開始させるためのスタートスイッチ１０と、前記リールの回転を個別に停止させるための複数のストップスイッチ１２，１４，１６とが設けられるとともに、メダルを投入するためのメダル投入口１８が設けられている。
【００２２】
図２および図３に示されるように、パネル本体２０には、トレイ５と制御パネル２２との間に、装飾パネルとしての腰部パネル２１が開閉可能に取り付けられている。また、図３に明確に示されるように、腰部パネル２１の内側には、腰部パネル２１の内側空間Ｓを規定する板状の取付ベース４２が、パネル本体２０に固定して設けられている。この場合、腰部パネル２１の内側空間Ｓは、腰部パネル２１を図３に示される開位置から図２に示される閉位置へと閉じることにより、腰部パネル２１と取付ベース４２とパネル本体２０の側壁とによって外部から区画される（図２および図４参照）。
【００２３】
また、腰部パネル２１の内側には、左右両側の下部に、スロットマシン１の各種演出に伴う効果音を出力するスピーカ３０Ａ，３０Ｂが設けられている。スピーカ３０Ａ，３０Ｂは、取付ベース４２に取り付け固定されたスピーカ本体３０ａと、腰部パネル２１に取り付けられ（あるいは、腰部パネル２１に形成され）且つスピーカ本体３０ａの前方をカバーするケース３０ｂとから成る。特に、本実施形態において、スピーカ本体３０ａは、取付ベース４２の収納部４２ａにその一部が収納された状態で取り付けられている。具体的には、取付ベース４２には、スピーカ本体３０ａを少なくとも部分的に収納するための凹陥状の収納孔５０を形成する収納部４２ａが設けられている。収納部４２ａは、取付ベース４２を箱体１ａの内側空間Ｓ１側に窪ませることによって形成されており、スピーカ本体３０ａの外周を取り囲む周面５４と、スピーカ本体３０ａの背面と対向する底面５６とを有している。そして、スピーカ本体３０ａは、図４に示されるように、取付ベース４２から延びるシャフト７２に支持された状態でネジ６３（シャフト７２に螺合される）により取付ベース４２に対して固定される。なお、ケース３０ｂには、スピーカ３０Ａ，３０Ｂからの音を外部に放出するための放音孔４６が設けられている。
【００２４】
また、取付ベース４２には、任意の部位（本実施形態では、スピーカ３０Ａ，３０Ｂ同士の間）に、腰部パネル２１の内側空間Ｓを後方（フロントパネル２の背面側）に向けて部分的に開放するための円形状の複数（本実施形態では２つ）の連通孔４０が貫通して形成されている。これらの連通孔４０は、腰部パネル２１の内側空間Ｓの内外を連通させるとともに、フロントパネル２を閉じた状態において腰部パネル２１の内側空間Ｓと箱体１ａの内側空間Ｓ１（図４参照）とを連通させる。
【００２５】
このように、取付ベース４２に連通孔４０を貫通して設けると、この連通孔４０によって腰部パネル２１の内側空間Ｓが連通孔４０の内容積分だけ拡大されるとともに、連通孔４０を通じて腰部パネル２１の内側空間Ｓとその外部（フロントパネル２を閉じた状態においては箱体１ａの内側空間）とが連通する（腰部パネル２１の内側空間Ｓが部分的に開放される）。そのため、音響効果を高めるべく大口径のスピーカ３０Ａ，３０Ｂを腰部パネル２１の内側に設置することにより腰部パネル２１の内側空間Ｓの空きスペース（音響伝達空間）が少なくなっても、この容積不足を連通孔４０の内容積によって補助できるとともに、音響を保つために必要な空気を連通孔４０を通じて腰部パネル２１（内側空間Ｓ）の内外で流通させて十分な空気振動（音響）を生じさせることができる。したがって、スピーカ３０Ａ，３０Ｂの音が発生しなくなるといった事態が生じることを回避することができる。すなわち、本実施形態では、取付ベース４２に形成された連通孔４０の存在により、音響を保ちつつ、限られた腰部パネル２１の内側空間Ｓ内に（腰部パネル２１の内側空間Ｓの内容積の範囲内で）極力大きなスピーカを設置できるようになる。
【００２６】
また、本実施形態のようにスピーカ３０Ａ，３０Ｂを腰部パネル２１の内側に設置すると、スピーカ３０Ａ，３０Ｂからの音がトレイ５やトレイ５内の遊技媒体によって遮られることがなく、フロントパネル２から迫力ある効果音を遊技者に向かって直接に出力することができる。
【００２７】
なお、本実施形態では、取付ベース４２に連通孔４０が２つ設けられているが、連通孔４０の個数は、これに限定されず、スピーカ３０Ａ，３０Ｂの口径に応じて適宜設定すれば良い（１つでも良く、あるいは、３つ以上でも良い）。また、本実施形態では、連通孔４０がスピーカ３０Ａ，３０Ｂ同士の間に設けられているが、取付ベース４２における連通孔４０の形成箇所は、これに限らず、スピーカ３０Ａ，３０Ｂの設置箇所に応じて適宜設定すれば良い。
【００２８】
図５および図６には、本発明の第２の実施形態が示されている。なお、本実施形態において、第１の実施形態と共通する構成部分については、以下、同一符号を付してその説明を省略する。
【００２９】
図５および図６に示されるように、本実施形態において、収納部４２ａの底面５６には、多数の連通孔５２が形成されている。また、収納部４２ａの周囲に位置する取付ベース４２の部位にも、連通孔７０が形成されている。これらの連通孔５２，７０は、腰部パネル２１の内側空間Ｓの内外を連通させるとともに、フロントパネル２を閉じた状態において腰部パネル２１の内側空間Ｓと箱体１ａの内側空間Ｓ１とを連通させる。また、連通孔５２，７０は、遊技媒体やスロットマシン内部に存在するビス等の取付要素が収納部４２ａ内に侵入し得ないよう、これら遊技媒体や取付要素の外径よりも小さく設定されている。なお、スピーカ本体３０ａは、図６に示されるように、スピーカ本体３０ａの前周縁部を取り囲む透明のカバー体６４と共に、ネジ６３により取付ベース４２に対して固定される。また、それ以外の構成は第１の実施形態と同一である。
【００３０】
以上のように、本実施形態では、スピーカ本体３０ａを収納するための収納孔５０を形成する収納部４２ａが取付ベース４２設けられ、この収納部４２ａにも連通孔５２，７０が形成されているため、腰部パネル２１の内側空間Ｓの容積不足を取付ベース４２の連通孔４０および収納孔５０内部および周囲に設けられた連通孔５２，７０によって補助しつつ、スピーカ３０Ａ，３０Ｂから発せられる音（空気振動）をスピーカ３０Ａ，３０Ｂの背面から直線的に連通孔５２を通じて開放することができ、空気の流通状態を更に促進させて、腰部パネル２１内での音響効果を更に高めることができる。
【００３１】
また、本実施形態では、スピーカ３０Ａ，３０Ｂに対して複数の方向（周方向および後方）から対向する複数の連通孔５２（周面５４の連通孔５２および底面５６の連通孔５２）により、容積不足を補助して音響を保つために必要な空気を腰部パネル２１の内外で流通させて十分な空気振動（音響）を生じさせることができるため、腰部パネル２１内での音響効果を更に一層高めることができる。なお、本実施形態では、収納部４２ａの底面５６に連通孔５２が形成されているが、図７に示されるように周面５４および底面５６の両方に連通孔５２が形成されていても良い。
【００３２】
また、本実施形態において、連通孔５２，７０は、遊技媒体やスロットマシン内部に存在するビス等の取付要素が収納部４２ａ内に侵入し得ないよう、これら遊技媒体や取付要素の外径よりも小さく設定されている。そのため、脱落等により収納部４２ａに誤って落下してくる金属製のビスや遊技媒体等が、連通孔５２，７０を通じて収納部４２ａ内に侵入し、スピーカ本体３０ａに付設されるマグネットに吸着されるなどして、スピーカ３０Ａ，３０Ｂからの音響作用に支障を来たすといった不具合を回避できる。
【００３３】
なお、本発明は、前述した実施形態に限定されず、その要旨を逸脱しない範囲で種々変形して実施できることは言うまでもない。例えば、前述した各実施形態では、連通孔４０，５２，７０が円形を成しているが、連通孔４０，５２，７０の形状はこれに限らない。矩形、多角形、正方形など、音響工学的な検知から、様々な形状が考えられる。また、前述した各実施形態では、連通孔４０，５２，７０が取付ベース４２に設けられているが、内側空間Ｓを部分的に開放して前述した音響効果が得られれば、連通孔４０，５２，７０の形成箇所は取付ベース４２に限らない。
【産業上の利用可能性】
【００３４】
本発明は、前述した実施形態で説明したようなスロットマシンの他、パチンコ機等、様々な遊技機に適用することが可能である。
【図面の簡単な説明】
【００３５】
【図１】本発明の第１の実施形態に係るスロットマシンの側面図である。
【図２】図１のスロットマシンの前面扉を正面から見た斜視図（腰部パネルが閉じられた状態）である。
【図３】図１のスロットマシンの前面扉を正面から見た斜視図（腰部パネルが開放された状態）である。
【図４】腰部パネルが閉じられて腰部パネルと取付ベースとの間に閉空間（内側空間Ｓ）が形成された状態を側方から見た概略図である。
【図５】本発明の第２の実施形態に係るスロットマシンにおいて、腰部パネルが閉じられて腰部パネルと取付ベースとの間に閉空間（内側空間Ｓ）が形成された状態を側方から見た概略図である。
【図６】図５のスロットマシンにおける取付ベースのスピーカ収納部とスピーカとを示す斜視図である。
【図７】第２の実施形態の変形例に係わるスロットマシンにおける取付ベースのスピーカ収納部とスピーカとを示す斜視図である。
【符号の説明】
【００３６】
１    スロットマシン
１ａ    箱体
２    フロントパネル（前面扉）
５    トレイ
２１    腰部パネル
２２    制御パネル
３０Ａ，３０Ｂ    スピーカ
４０    連通孔
４２    取付ベース
４２ａ    収納部
４６    放音孔
５０    収納孔
５２    連通孔
５４    周面
５６    底面
７０    連通孔
Ｓ    内側空間
Ｓ１    内側空間
【図１】
2005034610.tif 000003
【図２】
2005034610.tif 000004
【図３】
2005034610.tif 000005
【図４】
2005034610.tif 000006
【図５】
2005034610.tif 000007
【図６】
2005034610.tif 000008
【図７】
2005034610.tif 000009